(57)【要約】      （修正有）【課題】ユーザの可視性への影響を最小限に抑えて、切断窓の回転を容易にする、外科用切断器具を提供する。【解決手段】第１の管状部材１６と、第２の管状部材１８と、スリーブ部材２０と、第３の管状部材と、配向部材２２とを含む外科用切断器具１０。第１の管状部材の遠位部分が切断先端部を含む。第２の管状部材の遠位領域は切断窓を形成している。切断先端部が切断窓において選択的に露出されるように、第１の細長い部材は第２の管状部材の内部に同軸に配設されている。第１の管状部材および第２の管状部材はスリーブ部材の内部に同軸に配設されている。第３の管状部材は、第１の管状部材の中間部分、第２の管状部材の中間領域、およびスリーブ部材の周囲に同軸に配設されている。配向部材は、回転力を伝達して、第２の管状部材および第３の管状部材をスリーブに対して選択的に回転させ、切断窓の空間回転を達成するために回転可能である。【選択図】図１
2020163212.tif 000002
【特許請求の範囲】
【請求項１】
近位部分、中間部分、および遠位部分を有する第１の管状部材であり、前記遠位部分は切断先端部を含む、第１の管状部材と、
近位領域、中間領域、および遠位領域を有する第２の管状部材であり、前記遠位領域は切断窓を形成しており、前記切断先端部が前記切断窓において選択的に露出されるように前記第１の細長い部材が前記第２の管状部材の内部に同軸に配設されている、第２の管状部材と、
近位端および遠位端を有するスリーブ部材であり、前記第１の管状部材および前記第２の管状部材は前記スリーブ部材の内部に同軸に配設されている、スリーブ部材と、
前記第１の管状部材の前記中間部分、前記第２の管状部材の前記中間領域、および前記スリーブ部材の周囲に同軸に配設されている、第３の管状部材と、
配向部材であり、前記配向部材にかけられる回転力を伝達して、前記第２の管状部材および前記第３の管状部材を前記スリーブに対して選択的に回転させ、前記切断窓の空間回転を達成するために回転可能な配向部材と
を含む、外科用切断器具。
【請求項２】
前記スリーブ部材は剛性である、請求項１に記載の外科用切断器具。
【請求項３】
前記第１の管状部材の前記中間部分および前記第２の管状部材の前記中間領域は可撓性である、請求項１に記載の外科用切断器具。
【請求項４】
前記第１の管状部材の前記近位部分に取り付けられている第１のハブと、
前記第２の管状部材の前記近位領域および前記スリーブ部材の前記近位端に取り付けられている第２のハブと
をさらに含み、
前記スリーブ部材の前記近位端は前記第２のハブに固く固定されている、
請求項１に記載の外科用切断器具。
【請求項５】
前記スリーブ部材の前記遠位端は前記配向部材に摩擦で固定されている、請求項１に記載の外科用切断器具。
【請求項６】
前記第３の管状部材が、剛性遠位端と剛性近位端との間に可撓部を有する
をさらに含む、請求項１に記載の外科用切断器具。
【請求項７】
前記スリーブ部材は剛性である、請求項１に記載の外科用切断器具。
【請求項８】
前記第３の管状部材は前記スリーブ部材に対して選択的に回転可能であり、前記配向部材は前記第３の管状部材の前記近位部分に固く固定されており、前記第３の管状部材の前記遠位部分は前記第２の管状部材の前記遠位領域に固く固定されており、前記配向部材にかけられる回転力が前記第３の管状部材および前記第２の管状部材を回転させる、請求項１に記載の外科用切断器具。
【請求項９】
前記第１の管状部材の前記中間部分、前記第２の管状部材の前記中間領域は湾曲している、請求項１に記載の外科用切断器具。
【請求項１０】
近位部分、中間部分、および遠位部分を有する第１の管状部材であり、前記遠位部分は切断先端部を含む、第１の管状部材と、
近位領域、中間領域、および遠位領域を有する第２の管状部材であり、前記遠位領域は切断窓を形成しており、前記切断先端部が前記切断窓において選択的に露出されるように
前記第１の細長い部材が前記第２の管状部材の内部に同軸に配設されている、第２の管状部材と、
近位端、遠位端、および前記近位端と前記遠位端との間の中間部を有するスリーブ部材であり、前記第１の管状部材および第２の管状部材は前記スリーブ部材の内部に同軸に配設されている、スリーブ部材と、
ハブ組立体であり、前記第２の管状部材は前記ハブ組立体の内部で選択的に回転可能であり、前記ハブ組立体のハブが前記スリーブ部材に剛固定されている、ハブ組立体と、
近位端および遠位端を有する配向部材であり、前記配向ハブは遠位端において前記スリーブ部材を覆って摩擦嵌合されておりかつ前記第２の管状部材にしっかり固定されており、前記配向ハブは、前記配向ハブにかけられる回転力を伝達して、前記第２の管状部材を前記ハブに対して回転させ、前記切断窓の空間回転を達成するために回転可能である、配向部材と
を含む、外科用切断器具。
【請求項１１】
前記第１の管状部材の前記中間部分および前記第２の管状部材の前記中間領域は可撓性である、請求項１０に記載の外科用切断器具。
【請求項１２】
前記第１の管状部材の前記中間部分および前記第２の管状部材の前記中間領域は螺旋状の切れ目を入れられている、請求項１１に記載の外科用切断器具。
【請求項１３】
前記中間部分、中間領域、および前記中間部は長手方向に位置合わせされており、互いに重なっている、請求項１０に記載の外科用切断器具。
【請求項１４】
前記スリーブ部材は剛性である、請求項１０に記載の外科用切断器具。
【請求項１５】
前記スリーブ部材は前記中間部に沿って湾曲している、請求項１４に記載の外科用切断器具。
【請求項１６】
前記第１の管状部材の前記中間部分、前記第２の管状部材の前記中間領域、および前記スリーブ部材の周囲に同軸に配設されている第３の管状部材
をさらに含む、請求項１０に記載の外科用切断器具。
【請求項１７】
前記第３の管状部材は可撓性中間部を含む、請求項１６に記載の外科用切断器具。
【請求項１８】
外科用切断器具を使用する方法であって、
外科用切断器具を握持するステップであり、前記器具は、
切断先端部を有する第１の管状部材と、
切断窓を有する第２の管状部材であり、前記切断先端部が前記切断窓において選択的に露出されるように前記第１の管状部材が前記第２の管状部材の内部に同軸に配設されている、第２の管状部材と、
スリーブ部材であり、前記第１の管状部材および前記第２の管状部材は前記スリーブ部材の内部に同軸に配設されている、スリーブ部材と、
ハブ組立体であり、前記第２の管状部材は前記ハブ組立体の内部で選択的に回転可能であり、前記ハブ組立体は前記スリーブ部材に剛固定されている、ハブ組立体と、
前記スリーブ部材を覆って摩擦嵌合されており、前記第３の管状部材に剛固定されている配向部材であり、前記配向ハブは、前記配向部材にかけられる回転力を伝達して、前記第２の管状部材を前記ハブ組立体に対して回転させ、前記切断窓の空間回転を達成するために回転可能である、配向部材と
を含む、握持するステップと、
前記切断窓および切断先端部を標的組織において位置決めするステップと、
前記切断先端部を回転させて、第１の領域内で前記標的組織を選択的に切断するステップと、
前記切断先端部を前記標的組織に維持するステップと、
前記配向ハブを回転させて、前記切断窓を選択的に再位置決めし、前記切断先端部を露出させて、第２の領域内で前記標的組織を切断するステップと
を含む、方法。
【請求項１９】
前記切断窓は前記配向部材上の方向指示器と位置合わせされている、請求項１８に記載の方法。
【発明の詳細な説明】
【技術分野】
【０００１】
[0001]本発明は外科用切断器具に関する。より詳細には、本発明は、切断窓の回転を容易にするようになされている外科用切断器具に関する。
【背景技術】
【０００２】
[0002]細長い内側部材が細長い外側管状部材の内部で回転する外科用切断器具が、手術部位へのアクセスが狭い入口または通路経由で得られる外科手術において広く受け入れられるようになってきた。通常、外側管状部材は、切断口または切断窓を画定している開口部を有する遠位端を含み、内側部材は、その窓において身体組織を切断する切断先端部を形成している遠位端を含む。内側部材および外側部材の近位端が一般にハブに固定されており、このハブは、内側部材を外側部材に対して回転させるかつ／または揺動させる動力付きハンドピースに取り付けられている。内側部材の切断先端部は、問題の外科手術（例えば、切断、切除、剥離、薄片採取（ｓｈａｖｉｎｇ）等）に特有の様々な構造を有することができ、切断窓は、切断先端部の特定の構造と協働するように適切に構成されている。切断、切除、または剥離の手技に起因する弛緩した組織が内側部材の中空管腔を通して吸引され得るように、内側部材は管状であることが多い。
【０００３】
[0003]前述の外科用切断器具の使用が、一般に、切断窓／切断先端部を標的部位に送達すること、および切断先端部が所望の組織に対して「露出される」ように切断窓を位置決めすることを必要とする。このため、従来の外科用切断器具では、内側部材およびしたがって切断先端部がハンドピースに対して回転可能であるが、外側管状部材およびしたがって切断窓は回転可能ではない。すなわち、ハンドピースに対する切断窓の回転位置または空間位置が、大部分の利用可能な外科用切断器具では、固定されている。結果として、所望の組織に対して切断先端部を露出させるように切断窓を空間的に位置決めするために、外科医はハンドピースを物理的に移動させるかまたは回転させなければならない。多くの場合、これは、外科医が他の心地良くない位置に手を捻じることを必要とする。さらに、多くの外科手術が、特定の標的部位における様々な空間位置の組織が切断先端部により作用を及ぼされることを必要とする。したがって、標的部位での最初の配置時に、切断窓は手技の第１の部分のために適切に配向され得るが、異なる空間位置の組織もまた除去を必要とし、ひいては切断窓の空間位置が修正されるかまたは回転することを必要とする。再度、従来の外科用切断器具では、この手順仕様は、外科医がハンドピースの配向を物理的に変更し、したがって外科医の手に負担をかけることを必要とするかつ／または外科医が手技を一次的に休止しかつ患者に対して異なる身体位置へ移動することを必要とする。
【０００４】
[0004]外科用切断器具が画像誘導手術（ＩＧＳ：ｉｍａｇｅ  ｇｕｉｄｅｄ  ｓｕｒｇｅｒｙ）システムと併せて使用された場合、さらなる懸念が生じる可能性がある。特に、ＩＧＳは、一般に、標的部位へ展開されたら、切断窓／切断先端部を位置合わせすることを必要とする。手技中に切断窓の空間配向が変更されなければならない場合、外科医は、一般に、ハンドピースおよびしたがって切断窓をより容易に再配向するために、患者から器具を除去する。これが行われると、切断器具の再挿入に続いて、切断窓／切断先端部はＩＧＳシステムに対して再び位置合わせされなければならず、それにより、外科手術の時間を延長する。
【０００５】
[0005]外科用切断器具がその長手方向長さに沿って１つまたは複数の屈曲を含む場合、切断窓の空間配向の変更を達成するために、外科手術中に外科用切断器具を除去する必要に日常的に直面させられる。基準点として、いくつかの外科用切断器具が、特にその外側管状部材は、それらの長手方向長さに沿って真っ直ぐであるかまたは直線状である。他は
、期待される標的部位組織に当接した切断先端部の配置を容易にするために、特定の手技に基づいて湾曲している。湾曲したまたは屈曲した構造では、切断窓はハンドピースの回転により不規則に移動し、屈曲または長手方向湾曲点の周りを効果的に回転する。このような状況で、次に、外科医が患者から外科用切断器具を最初に除去せずに切断窓の位置を正確に修正することは、事実上不可能である。
【発明の概要】
【発明が解決しようとする課題】
【０００６】
[0006]外科用切断器具は極めて有用であり続けている。しかし、標的部位において切断窓の回転配向を容易にかつ都合よく変更するができないことは、完全には対処されていない。したがって、ユーザの可視性への影響を最小限に抑えて、ハンドピース操作に対する切断窓の回転を達成することができる外科用切断器具が必要である。
【課題を解決するための手段】
【０００７】
[0007]本開示の原理に基づくいくつかの態様が、第１の管状部材と、第２の管状部材と、スリーブ部材と、第３のスリーブ部材と、配向部材とを含む外科用切断器具に関する。第１の管状部材は、近位部分と、中間部分と、遠位部分とを有する。遠位部分は切断先端部を含む。第２の管状部材は、近位領域と、中間領域と、遠位領域とを有する。遠位領域は切断窓を形成している。切断先端部が切断窓において選択的に露出されるように、第１の細長い部材は第２の管状部材の内部に同軸に配設されている。スリーブ部材は近位端と遠位端とを有する。第１の管状部材および第２の管状部材はスリーブ部材の内部に同軸に配設されている。第３の管状部材は第１の管状部材の中間部分、第２の管状部材の中間領域、およびスリーブ部材の周囲に同軸に配設されている。配向部材は、配向部材にかけられる回転力を伝達して、第２の管状部材および第３の管状部材をスリーブに対して選択的に回転させ、切断窓の空間回転を達成するために回転可能である。
【０００８】
[0008]本開示の原理に基づく他の態様が、第１の管状部材と、第２の管状部材と、スリーブ部材と、ハブ組立体と、配向部材とを含む外科用切断器具に関する。第１の管状部材は、近位部分と、中間部分と、遠位部分とを有し、遠位部分は切断先端部を含む。第２の管状部材は、近位領域と、中間領域と、遠位領域とを有する。遠位領域は切断窓を形成している。切断先端部が切断窓において選択的に露出されるように、第１の細長い部材は第２の管状部材の内部に同軸に配設されている。スリーブ部材は、近位端と、遠位端と、近位端と遠位端との間の中間部とを有する。第１の管状部材および第２の管状部材はスリーブ部材の内部に同軸に配設されている。第２の管状部材はハブ組立体の内部で選択的に回転可能である。ハブ組立体のハブがスリーブ部材に剛固定されている。配向部材は近位端と遠位端とを有する。配向部材は遠位端でスリーブ部材を覆って摩擦嵌合されており、第２の管状部材に剛固定されている。配向部材は、配向部材にかけられる回転力を伝達して、第２の管状部材をハブに対して回転させ、切断窓の空間回転を達成するために回転可能である。
【０００９】
[0009]本開示の原理に基づく他の態様が、外科用切断器具を握持するステップを含む、外科用切断器具を使用する方法に関する。この器具は、第１の管状部材と、第２の管状部材と、スリーブ部材と、ハブ組立体と、配向部材とを含む。第１の管状部材は切断先端部を有する。第２の管状部材は切断窓を有する。切断先端部が切断窓において選択的に露出されるように、第１の管状部材は第２の管状部材の内部に同軸に配設されている。第１の管状部材および第２の管状部材はスリーブ部材の内部に同軸に配設されている。第２の管状部材はハブ組立体の内部で選択的に回転可能である。ハブ組立体はスリーブ部材に剛固定されている。配向部材はスリーブ部材を覆って摩擦嵌合されており、第３の管状部材に剛固定されている。配向ハブは、配向部材にかけられる回転力を伝達して、第２の管状部材をハブ組立体に対して回転させ、切断窓の空間回転を達成するために回転可能である。
本方法は、切断窓および切断先端部を標的組織において位置決めするステップと、切断先端部を回転させて、第１の領域内で標的組織を選択的に切断するステップと、切断先端部を標的組織に維持するステップと、配向ハブを回転させて、切断窓を選択的に再位置決めし、切断先端部を露出させて、第２の領域内で標的組織を切断するステップとをさらに含む。
【図面の簡単な説明】
【００１０】
【図１】[0010]本開示の原理による、組織を外科的に除去するための切断刃組立体を含む外科用切断器具の斜視図である。
【図２】[0011]一実施形態による切断刃組立体の拡大側面図である。
【図３】[0012]図２の切断刃組立体の分解図である。
【図４】[0013]図２および図３のスリーブ部材の拡大横断面図である。
【図５】[0014]図５Ａは、図２および図３の配向部材の拡大斜視図である。図５Ｂは、図２および図３の配向部材の横断面図である。
【図６】[0015]図６Ａは、本開示の態様による配向部材の別の実施形態の拡大斜視図である。図６Ｂは、本開示の態様による配向部材の別の実施形態の横断面図である。
【図７】[0016]本開示の原理による、図２の切断刃組立体の近位領域の拡大横断面図である。
【発明を実施するための形態】
【００１１】
[0017]外科用切断器具１０の一実施形態が図１に示されている。外科用切断器具１０は切断刃組立体１２とハンドピース１４とを含む（図１において全体が参照される）。構成要素は以下により詳細に記載されている。しかし、一般的には、切断刃組立体１２は、第１の管状部材１６と、第２の管状部材１８と、スリーブ部材２０と、第３の管状部材２１と、配向部材２２とを含む。
【００１２】
[0018]図２および図３は、外科用切断器具１０で有用な、本開示による切断刃組立体１２の一実施形態を示す。第１の管状部材１６は、近位部分２４と、遠位部分２６と、近位部分２４と遠位部分２６との間に延在している中間部分２８とを含む。遠位部分２６は切断先端部３０を形成している。第２の管状部材１８は、近位領域３２と、遠位領域３４と、近位領域３２と遠位領域３４との間に延在している中間領域３６とを含む。遠位領域３４は切断窓３８を形成している。切断先端部３０が切断窓３８において露出されるように、第１の管状部材１６は第２の管状部材１８の内部に同軸に配設されている。管状部材１６、１８が互いにおよびハンドピース１４に対して回転可能であるように、ハブ組立体４０（例えば図２参照）が第１の管状部材１６および第２の管状部材１８それぞれをハンドピース１４に連結している。この関連で、以下により詳細に記載されている通り、スリーブ部材２０および配向部材２２は、ハンドピース１４に対する第２の管状部材１８およびしたがって切断窓３８の回転を容易にする。
【００１３】
[0019]第１の管状部材１６は、開口近位端と遠位端との間に管腔を画定しており、遠位端はそこに経路／管腔と連通している開口部を有し、切断された身体組織が通って吸引され得る吸引入口を形成している。第１の管状部材１６の内面および外面は、全般的に滑らかで棘がない。第１の管状部材１６は、吸引経路が第１の管状部材１６および第２の管状部材１８の両方のハブ組立体４０を通って連続的に延在し得るような長さを有する。特に、第２の管状部材１８の遠位領域３４が第１の管状部材１６の遠位部分に近接しているように、第１の管状部材１６は第２の管状部材１８の内部に同軸に配設されている。
【００１４】
[0020]第１の管状部材１６は細長い管状体であり、遠位部分２６内に形成されている遠位切断先端部３０で終端している。第１の管状部材１６は、実施されている手技に相応しいように、単一の方向に揺動するかまたは回転し得る。切断先端部３０は、所望の外科手
術に適した任意の切断先端部である。第１の管状部材１６の近位部分２４、中間部分２６、および遠位部２８は、別々に機械加工され、組み立てられることが可能である。一実施形態では、第１の管状部材１６の近位部分２４の少なくとも１つの部分が、隆起した微細な綾目切りを含むように質感を付けられている。
【００１５】
[0021]第２の管状部材１８は、近位端と遠位端との間に延在している中心管腔を画定している細長い管状体である。第２の管状部材１８の中心管腔は全体的に均一の内径を画定しており、全体的に一様に滑らかである。第２の管状部材１８の外径が、安定性の増大のために、近位領域３２において、遠位領域３４においてより大きくされ得る。第２の管状部材１８の近位領域３２は、径方向に突出している環間で配設可能なＯリングを収容するために離間されている、径方向に突出している環を含む。組み立てられると、第１の管状部材１６の外面と第２の管状部材１８の内面とが切断窓３８への潅注経路を画定するように、第１の管状部材１６は第２の管状部材１８の中心管腔の内部に維持される。第２の管状部材１８の中心管腔は、第１の管状部材１６を内部に同軸に収容しかつ第１の管状部材１６の壁と第２の管状部材１８の壁との間に潅注経路を維持するような大きさに作製されている。
【００１６】
[0022]スリーブ部材２０は、近位部４２と、遠位部４４と、近位部４２と遠位部４４との間に延在している中間部４６とを有する。スリーブ部材２０の内径は、おおよそ、内部に第２の管状部材１８を収容するような大きさに作製されている。近位部４２は、第２の管状部材１８の近位領域３２の所の径方向環を収容するために、スリーブ部材２０の残部より大きい内径を有し得る。
【００１７】
[0023]第３の管状部材２１は可撓部６２を含む。組み立てられると、可撓部６２は、第１の管状部材１６の可撓中間部分２８と、第２の管状部材１８の可撓中間領域３６と、スリーブ部材２０の湾曲した中間部と長手方向に位置合わせされている。
【００１８】
[0024]図４にさらに示されている通り、第３の管状部材２１は、管状体６４と、第１の可撓層６６および第２の可撓層６８とを含む。管状体６４は、近位部分７２と遠位部分７４との間に位置決めされている可撓中間部分７０を含む。近位部分７２および遠位部分７４は剛性である。第３の管状部材２１はステンレス鋼または他の適切な材料とすることができる。第１の可撓層６６と第２の可撓層６８とは反対方向（すなわち左右）に螺旋状の切れ目を入れられ（ｂｅ  ｓｐｉｒａｌ  ｃｕｔ）得る。また、中間部分７０は、一様な可撓性のために螺旋状の切れ目を入れられ得る。遠位部分７４は先細になった端部を有する。
【００１９】
[0025]窓配向部材２２は、ハブ組立体４０の遠位にある第２の管状部材１８に沿って配設されている。配向部材２２と第２の管状部材１８とが単体として共に回転し得るために、配向部材２２は第２の管状部材１８に接着でまたは別の方法で取り付けられ得る。図５Ａ〜図５Ｂをさらに参照すると、配向部材２２は方向指示器５０を含む。組み立てられると、ユーザが配向部材２２を選択的に回転させるかまたは再位置合わせし、その結果として切断窓３８が、除去される所望の組織に対向しかつそれに向かって開いているために、配向部材２２の方向指示器５０は第２の管状部材１８の切断窓３８と位置合わせされている。
【００２０】
[0026]図５Ａおよび図５Ｂは、切断刃組立体１２で有用な配向部材２２の一実施形態を示す。配向部材２２は略管状の内側を有する。配向部材２２は遠位部５２と近位部５４とを含む。遠位部５２は、第３の管状部材２１を適切に受容するような大きさに作製されている内径を有する。近位部５４は、スリーブ２１を受容するような大きさに作製されている内径を有し、遠位部５２より小さい内径を有し得る。組み立てられると、第３の管状部
材２１は、遠位部５２内で終端し、スリーブ２１は近位部５４を通って延在している。近位部５４の終端部は傾斜が付けられており、近位部５４の内部でのスリーブ２１の挿入および組立てを容易にすることができる。遠位部５２の終端部は先細になった外面を有して、第３の管状部材２１との結合を容易にすることができる。配向部材２２の遠位部５２は、Ｌｏｃｔｉｔｅ（登録商標）、誘導結合、レーザ溶接、または他の適切な結合により、第３の管状部材２１と結合され得る。一実施形態では、配向部材２２は径方向内側の力をかけて、第３の管状部材２１の不注意な回転を防止する（第２の管状部材１８は第３の管状部材２１に結合する）。スリーブ部材２１の遠位部４４は配向部材２２の内部で終端する。配向部材２２の外面が外科医により容易に握持され、第２の管１８の遠位端の所の切断窓３８の方向を手動で変更する。配向部材２２は、外科医によりかけられる適切なトルクに応答して回転するだけである。方向指示器５０は配向部材２２から径方向に突出し得る。突出している指示器５０は切断窓３８と位置合わせされており、視覚および触覚のフィードバックをもたらす。一実施形態では、方向指示器５０は聴覚および触覚のフィードバックを含み、切断窓３８の配向の変更を指示する。一実施形態では、配向部材２２は切断窓３８の配向に別々の個別の変更をもたらす。一実施形態では、配向部材２２は切断窓３８が、外科医により所望されるいかなる回転方向にも配向されることを可能にし得る。
【００２１】
[0027]図６Ａおよび図６Ｂは、切断刃組立体１２で有用な配向部材１２２の別の実施形態を示す。配向部材１２２は略管状の内側を有する。配向部材１２２は遠位部１５２と近位部１５４とを含む。遠位部１５２は、第３の管状部材２１を適切に受容するような大きさに作製されている内径を有する。近位部１５４は、スリーブ２０を受容するような大きさに作製されている内径を有し、遠位部１５２より小さい内径を有し得る。組み立てられると、第３の管状部材２１は遠位部１５２の内部で終端し、スリーブ２１は近位部１５４を通って延在している。近位部１５４の終端部は傾斜が付けられており、近位部１５４の内部でのスリーブ２０の挿入および組立てを容易にすることができる。遠位部１５２の終端部は先細になった外面を有し、第３の管状部材２１との結合を容易にすることができる。配向部材１２２の遠位部１５２は、Ｌｏｃｔｉｔｅ（登録商標）、誘導結合、レーザ溶接、または他の適切な結合により、第３の管状部材２１と結合され得る。一実施形態では、ウィープポート（ｗｅｅｐ  ｐｏｒｔ）１４８が接着結合のために含まれる。一実施形態では、配向部材１２２は、径方向内側の力をかけて、第３の管状部材２１の不注意な回転を防止するコンプライアント部材（ｃｏｍｐｌｉａｎｔ  ｍｅｍｂｅｒ）である（第２の管状部材１８は第３の管状部材２１に結合される）。一実施形態では、配向部材１２２は、溝部１５８内に配設されている玉１５６を含む。組み立てられると、玉１５６は、スリーブ部材２０内の陥凹部（図示せず）と結合される。別の実施形態では、配向部材１２２は遠位端上に陥凹部を含み、玉およびばね緊張緩和物（ｄｅｔｅｎｔｅ）（図示せず）を収容する。スリーブ部材２０の遠位部４４は配向部材１２２の内部で終端する。配向部材１２２の外面が外科医により容易に握持されて、切断窓３８の方向を手動で変更する。配向部材１２２は、外科医によりかけられる適切なトルクに応答して回転するだけである。方向指示器１５０は配向部材１２２の外面に沿って直線状に突出し得る。一実施形態では、方向指示器は、視覚および触覚のフィードバックをもたらす矢印として形成されている。突出している指示器５０は切断窓３８と位置合わせされている。一実施形態では、方向指示器１５０は音声および触覚のフィードバックを含み、切断窓３８の配向の変更を指示する。一実施形態では、配向部材１２２は、切断窓３８の配向の別々の個別の変更をもたらす。例えば、配向部材１２２は、切断窓３８が９０°の増分で再配向されることを可能にし得る。調節された配向の他の度もまた、任意の回転方向への自由な調節を含んで適切である。
【００２２】
[0028]図２に戻って参照すると、第１の管状部材１６および第２の管状部材１８ならびにスリーブ２０はハブ組立体４０により近位で支持されている。配向部材２２は外科医による操作を容易にするために、ハブ組立体４０に隣接して位置決めされており、配向部材
２２が切断先端部３０の外科医の視野を隠さないことを確実にする。配向部材２２、または配向ハブ２２は、第２の管状部材１８の遠位領域３４の位置およびｘ軸に対するスリーブ部材の配向を変更することなく、ユーザが切断窓１６の回転配向を選択的に変更することを可能にする。結果として、外科医は、第２の管状部材１８を回転させることにより切断先端部３０の迎え角（ａｎｇｌｅ  ｏｆ  ａｔｔａｃｋ）を変更しながら、外科用器具１０を基本的に固定された位置に維持することができる。
【００２３】
[0029]管状部材１６、１８それぞれの中間領域２８、３６は可撓性である。中間部分２８と中間領域３６とは位置合わせされており、切断刃組立体１２の長さに沿って同軸に組み立てられている。部分２８および領域３６は、スリーブ部材２０の中間部４６により強いられる湾曲を受け入れ、ハブ組立体４０においてかけられるトルクを切断先端部３０に伝達し、十分な力で切断先端部３０を回転させ、切断窓３８を介して露出されている組織または他の身体構成要素を切断することができる。第２の管状部材１８は、第１の管状部材１６の中間部分を包囲する可撓中間領域３６を含み、ユーザが、配向部材２２を操作することにより、ハブ組立体４０に対して第２の管状部材１８を回転させることを可能にする。
【００２４】
[0030]一実施形態では、第１の管状部材１６および第２の管状部材１８は、ステンレス鋼などの金属である。第１の管状部材１６と同様に、第２の管状部材１８は剛性近位領域３２と剛性遠位領域３とを有し、可撓中間領域３６は領域３２と３４との間に配設されている。中間部分２８は螺旋状の切れ目を入れられて、一様な可撓性をもたらし、第１の管状部材１６の近位部分２４においてかけられるトルク（すなわち回転力）を、スリーブ部材２０の中間部４６により強いられる任意の湾曲を介して、遠位部分２６に効率的に伝達することができる。中間部分２８は左または右どちらかに傾斜した螺旋状の切れ目を入れられ得る。中間領域３６と中間部分２８とは逆方向に螺旋状の切れ目を入れられている。例えば、中間領域３６は、左に傾斜した螺旋状の切れ目を入れられており、中間部分２８は右に傾斜した螺旋状の切れ目を入れられており、切断刃組立体１２の構造的完全性を損なうことなく、切断刃組立体１２がいずれの方向にも回転することを可能にする。
【００２５】
[0031]図２および図３を参照すると、ハブ組立体４０は、第１のハブ組立体８２と、第２のハブ組立体８４と、締結具８６とを含む。以下に記載されている通り、第１のハブ組立体８２は第１の管状部材１６を維持し、第１の管状部材１６のモータ（図示せず）への接続を容易にする。第２のハブ組立体５０は動的シール８８と外側ハブ９０とを含む。第２の管状部材１８は外側ハブ９０の内部から遠位に延在している。図１を参照すると、締結具９０は、ハブ組立体８２、８４を、ハンドピース１４の内部に取外し可能に固定している。第２のハブ組立体８４は、外科用切断器具１０に適した多種多様な形態を取り得る。
【００２６】
[0032]第１の管状部材１６は第２の管状部材１８と組み立てられ、組立てられたハブ８２、８４はハンドピース１４（図示せず）の内部に同軸に受容され、第１の管状部材１６および第２の管状部材１８はハブ組立体８２、８４の遠位に延在している。内側ハブ組立体８２と外側ハブ組立体８４とは協働して、第１の管状部材１６と第２の管状部材１８との回転関係を容易にする。ハンドピース１４は、内側刃組立体１６と外側刃組立体の両方、第１の管状部材１６および第２の管状部材１８を支持する。以下により詳細に記載されている通り、第１の管状部材１６の回転が切断先端部３０に移されて、処置部位において標的組織を選択的に除去することを達成する。この構造では、吸引された液体および固体（図示せず）が、封止された経路経由で第１の管状部材１６の管腔を通して、切断先端部３０から送達され得る。また、第２の管状部材１８への潅注液の流動および第１の管状部材１６を通した吸引を達成することができる他の構造が考えられる。
【００２７】
[0033]図７を参照すると、締結具８６は、ねじ山９２から離れて遠位にかつ径方向外側に延在している有翼つまみ９４を含む。有翼つまみ９４は、切断刃組立体１２をハンドピース１４に係合させるかまたはそこから取り外すために（例えば、図１参照）、締結具８６のねじ山９２の取扱いおよび回動を容易にするために構成されている。このようにして、締結具８６は、ハンドピース１４の内部で外側ハブ組立体８４に取外し可能に固定されている（すなわち、ねじ山９２はハンドピース（図示せず）内のねじと結合可能である）。また、他の係合機構および解除機構が許容可能である。一実施形態では、２つの有翼つまみ９４が含まれ、締結具８６の対向側部上に配設されている。また、有翼つまみ９４の他の量および構造が適切であり得る。一実施形態では、ねじ山９２は、ハンドピース１４の内部で固定する場合、締結具８６が１８０°回動することを可能にするために設けられている。外科用切断器具１０が使用中である時に締結具８６がハンドピース１４から不用意に外れないようにするために、十分なねじ山９２が含まれている。いかなる観点においても、ユーザが有翼つまみ９４を押し回すことにより締結具８６を回転させて、ねじ山９２をハンドピース１４から解除するまで、外側ハブ組立体８４、および切断刃組立体１２をハンドピース１４に固定するのに適切なねじ山９２が設けられている。一実施形態では、周囲切欠きが近位端に含まれている。組み立てられると、Ｏリング９５が周囲切欠き内へ挿入可能であり、外側ハブ９０に当接して配置され、動作中、切断器具１０の、特に軸方向の、振動のいくらかを低減するかまたは吸収することができる。
【００２８】
[0034]外側ハブ９０は首状部９６と基部９８とを含む。径方向肩状部１００が首状部９６と基部９８との間に画定されており、首状部９６の外径から基部９８の外径まで径方向に延在している。首状部９６は、締結具８６の内部でそれを通って延在するような大きさに作製されており、そうなるように構成されている。通路１０２が首状部９６および基部９８を通って延在している。潅注入口１０４は外側ハブ８４の外面から延在しており、通路１０２と流体接続している。一実施形態では、通路１０２はハブ組立体４０の長手方向軸に沿って延在しており、潅注入口１０４は外側ハブ８４の外面に対して垂直に延在している。本開示の態様によれば、潅注入口１０４はハンドピース１４の内部に配設されており、ハンドピース１４に組み立てられると、流体経路および潅注口に流体接続している。
【００２９】
[0035]第２の管状部材１８は通路１０２の内部で延在しており、潅注入口１０４が第２の管状部材１１８の管腔と自由に連通するように、潅注入口１０４の遠位で終端している。窓配向部材２２は外側ハブ組立体８４の内部から遠位に延在している。等に、スリーブ部材２１は第２の管状部材１８の周囲に同軸に延在しており、外側ハブ８４の内部で終端している。スリーブ部材２１の近位端が、第２の管状部材１８の近位領域３２の近位端とおおよそ同一平面で終端している。シール環９５が、第２の管状部材１８の近位領域３２上に形成されている径方向環間に配設されており、第２の管状部材１８の近位領域３２とスリーブ部材２０との間の流体密シールを容易にする。スリーブ部材２１は外側ハブ８４の内部に接着剤で取り付けられ得る。少なくとも１つの接着剤ウィープポート４８が通路１０２の長さに沿って延びている長手方向軸に対してある角度で、かついくつかの場合には垂直に、延在している。少なくとも１つの接着剤ウィープポート１０６は、通路１０２に直接に流体接続しており、また、外側ハブ８４の外面に流体的に開いている。スリーブ部材２１を外側ハブ９０の通路１０２の内部に接着するのに使用された場合、スリーブ部材２１の挿入後またはこの挿入により、接着剤（図示せず）が遠位端内に挿入され、組立て中、過剰な接着剤が、首状部９６を少なくとも１つの接着剤ウィープポート４８において出ることができる。
【００３０】
[0036]図７を続けて参照すると、第１の管状部材１６は、第２の管状部材１８の近位端を越えてかつ外側ハブ９０の近位端部に配設されている動的シール８８を通って延在しており、内側ハブ組立体８２（図示せず）と接続している。動的シール８８は第１の管状部材１６の周囲で流体封止している。加えて、以下により詳細に記載されている通り、外側
ハブ９０の外面は、潅注入口１０４のどちらかの側（すなわち近位および遠位）でシール環９５（例えばＯリング）を受容するようになされており、外側ハブ９０とハンドピース１４（図示せず）との間で流体密シールを達成する。組み立てられると、また、シール環９５は径方向振動の減衰を実現することができ、それにより、切断先端部３０における振動を低減する。いくつかの実施形態では、動的シール８８およびシール環９５は、テフロン（登録商標）などのポリテトラフルオロエチレン（ＰＴＦＥ）材料であるが、他の適切な材料もまた許容可能である。
【００３１】
[0037]一実施形態では、外側ハブ９０は識別口１１４を含む。識別口１１４は無線自動識別デバイス（ＲＦＩＤ）を許容するように構成されている。ＲＦＩＤは、切断器具１４がハンドピース１４と組み立てられた場合に統合パワーコンソール（ＩＰＣ：ｉｎｔｇｒａｔｅｄ  ｐｏｗｅｒ−ｃｏｎｓｏｌｅ）に転送される、切断器具１４の、例えば大きさおよび刃の種類を識別するデータを含む。ＩＰＣ（図示せず）は、ＲＦＩＤから情報を受信すると、電力を供給して、切断器具１０を、適切な速度ならびに特定の切断器具１０に適した流体および吸引で動作させ得る。また、例えば磁気ホールセンサなどの、他の切断器具識別システムが許容可能である。
【００３２】
[0038]図７をさらに参照すると、第３の管状部材２１の近位部分７２は、配向部材２２の遠位端内へ延在しており、接着剤または他の適切な手段により、配向部材２２に固定取付けされている。第３の管状部材６０の遠位端は第２の管状部材１８に接着されている。スリーブ部材２０の遠位端は、第２の管状部材１８および配向部材２２に対する摩擦関係を維持する。前段で論じられている通り、スリーブ部材２１は外側ハブ９０に接着されている。配向部材２２の手動回転が、第３の管状部材２１および第２の管状部材１８ならびに切断窓３８の回転を容易にする。
【００３３】
[0039]最終組立て時、切断先端部３０は切断窓３８の所に位置決めされており、前段で論じられている通り、２つの構成要素は互いに対して回転可能である。例えば動力付きハンドピース１４により、第１の管状部材１６がその近位端で回転可能に駆動されると、切断先端部３０の表面または縁部は、第２の管状部材１８にある切断窓３８と協働して、組織を剪断し、切断し、またはその薄片を採取する。組み立てられると、第１の管状部材１６の外表面は生体適合性タングステン−炭化物／炭素被覆で被覆されて、第１の管状部材１６と第２の管状部材１８との間の磨耗および摩擦の減少を防止する。放電加工（ＥＤＭ）、電解加工（ＥＣＭ）、機械加工、化学加工、微小電気機械システム（ＭＥＭＳ）処理、または他の適切な微細機械加工法が用いられて、第１の管状部材１６および第２の管状部材１８、特に切断先端部３０および切断窓３８を形成することができる。一実施形態では、遠位領域３４は第２の管状部材１８の残部にレーザビーム溶接され、遠位部分２６は第１の管状部材１６の中間部分２８にレーザビーム溶接される。
【００３４】
[0040]図２に示されている通り、スリーブ部材２１は、中間部４６において湾曲しているかまたは屈曲しており、切断先端部３０を角度的にずらしている。湾曲した中間領域４６は、真っ直ぐな器具を用いて他の方法で到達することが困難な手術領域上で外科用器具１０が動作することを可能にする。図７をさらに参照すると、剛性固定スリーブ部材２１は、第２の管状部材１８および第１の管状部材１６の周囲に同軸に配設されている。
【００３５】
[0041]外科用切断器具１０は、頭蓋内腫瘍および脊髄腫瘍の外科的処置（すなわち除去）（ならびに可能性のある他の外科的処置）において非常に有用である。この関連で、本開示の態様による腫瘍の処置が、患者の頭蓋骨にアクセス開口部を形成すること（例えば従来の開頭術）を含む。脳腫瘍がある標的部位が露出されたら、システム１０は、それが軟部腫瘍か繊維腫瘍かどうかに関わらず、脳腫瘍の少なくともいくらか、好ましくは全てを除去するように動作する。
【００３６】
[0042]外科医が遠位部４４を腫瘍に隣接して位置決めしたら、外科医は、切断窓３８を脳腫瘍に隣接してかつ／またはその中に位置決めするために、ハンドピース１４および／または配向部材２２、１２２を操作する。湾曲したスリーブ部材２１により画定されている切断刃組立体１２の湾曲または屈曲は、外科医の手およびハンドピース１４が顕微鏡の視野の外に留まっていることを容易にし、手技の可視化を補助する。切断器具１０の第１の管状部材１６の回転が、ＩＰＣ（図示せず）による起動により達成される。（ハンドピース１４との間の接続により）制御装置／ＩＰＣは、第１の管状部材１に関する選択的回転制御が、標的部位を壊死組織切除するかまたは別途切断するために、切断器具１０の高速回転を引き起こすことを可能にする。腫瘍の特定の配置に応じて、切断器具１０は、外科医の手（単数または複数）を明白に捻じること（ｔｗｉｓｔｉｎｇ／ｃｏｎｔｏｒｔｉｏｎ）なく、腫瘍を斜めに横断してまたは下方に操作され得る。
【００３７】
[0043]一実施形態では、窓配向部材は手動で操作されて、切断窓を任意の径方向に配向することができる。ユーザにより適切な回転圧力がかけられて、窓配向部材２２およびしたがって切断窓３８を再配向するまで、スリーブ部材２１との配向部材２２の摩擦係合が切断窓３８を定位置に保持する。外科医の手の一方がハンドピース１４の基部を握持する一方、外科医の他方の手が、第２の管状部材１８（およびしたがって切断窓３８）に別途取り付けられている配向部材２２を握持する。正確に保持されたら、外科医は、次いで、彼の／彼女の手を強制的に回転させることにより、配向部材２２にトルクをかける。
【００３８】
[0044]本開示が好適な実施形態を参照して説明されたが、本開示の精神および範囲から逸脱することなく形態および詳細において変更が施され得ることが、当業者には理解されよう。
【図１】
2020163212.tif 000003
【図２】
2020163212.tif 000004
【図３】
2020163212.tif 000005
【図４】
2020163212.tif 000006
【図５】
2020163212.tif 000007
【図６】
2020163212.tif 000008
【図７】
2020163212.tif 000009
【手続補正書】
【提出日】令和2年7月7日(2020.7.7)
【手続補正１】
【補正対象書類名】特許請求の範囲
【補正対象項目名】全文
【補正方法】変更
【補正の内容】
【特許請求の範囲】
【請求項１】
切断先端部を有する第１の管状部材と、
切断窓を有する第２の管状部材であり、前記切断先端部が前記切断窓において選択的に露出されるように前記第１の管状部材が前記第２の管状部材の内部に同軸に配設されている、第２の管状部材と、
スリーブ部材であり、前記第１の管状部材および前記第２の管状部材は前記スリーブ部材の内部に同軸に配設されている、スリーブ部材と、
第３の管状部材であり、前記スリーブ部材が前記第３の管状部材の内部に同軸に配設されており、前記第３の管状部材が前記第２の管状部材に剛固定されている、第３の管状部材と、
近位部および遠位部を有する配向部材であり、前記配向ハブは前記近位部において前記スリーブ部材を覆って摩擦嵌合されておりかつ前記遠位部において前記第３の管状部材にしっかり固定されており、前記配向ハブは、前記配向ハブにかけられる回転力を伝達して、前記第２の管状部材を前記スリーブ部材に対して回転させ、前記切断窓の空間回転を達成するために回転可能である、配向部材と
を含む、外科用切断器具。
【請求項２】
前記スリーブ部材の近位部が前記配向部材の前記近位部を通って遠位に延在している、請求項１に記載の外科用切断器具。
【請求項３】
前記第３の管状部材の近位部分が前記配向部材の内部で終端する、請求項１に記載の外科用切断器具。
【請求項４】
前記第３の管状部材の中間部が前記第１の管状部材の中間部分、前記第２の管状部材の中間領域、および前記スリーブ部材の湾曲部の周囲に同軸に配設されている、請求項１に記載の外科用切断器具。
【請求項５】
前記中間部、前記中間部分、および前記中間領域が可撓性である、請求項４に記載の外科用切断器具。
【請求項６】
前記第１の管状部材の前記中間部分および前記第２の管状部材の前記中間領域は螺旋状の切れ目を入れられている、請求項４に記載の外科用切断器具。
【請求項７】
前記第１の管状部材の近位部分に取り付けられている第１のハブと、
前記第２の管状部材の近位領域および前記スリーブ部材の近位端に取り付けられている第２のハブと
をさらに含み、
前記スリーブ部材の前記近位端は前記第２のハブに固く固定されている、
請求項１に記載の外科用切断器具。
【請求項８】
前記第３の管状部材が近位部分と遠位部分との間に中間管状体を含み、前記中間管状体が第１の可撓層および第２の可撓層を含む、請求項１に記載の外科用切断器具。
【請求項９】
前記第１の可撓層と前記第２の可撓層とが、反対方向に螺旋状の切れ目を入れられている、請求項８に記載の外科用切断器具。
【請求項１０】
ハブ組立体をさらに含み、前記第２の管状部材が前記ハブ組立体の内部で選択的に回転可能である、請求項１に記載の外科用切断器具。
【請求項１１】
前記ハブ組立体のハブが前記スリーブ部材に剛固定されている、請求項１０に記載の外科用切断器具。
【外国語明細書】
2020163212000001.pdf